(57)【特許請求の範囲】
【請求項１】
枠状の支持フレームに、座部の裏面側の周縁部を載置して支持した椅子の座板であって、前記座部が、前記支持フレームの外周に沿う係止リブが裏面から突設された基板と、該基板の表面側を覆うクッション材と、該クッション材と前記基板の周辺部とを覆う表皮材とを備え、前記基板の裏面に、前記支持フレームの内周に沿う受支リブを突設するとともに、前記受支リブの角部における上下方向の中間部から基部にかけて切り欠き部を設け、かつ前記表皮材の周縁に可撓性の締付紐条を挿通可能な挿通部を設け、前記締付紐条を挿通した前記挿通部を前記切り欠き部に係合させて、前記締付紐条を緊張させることにより、前記表皮材の周縁を前記受支リブの外周まで窄めるとともに、前記支持フレームを前記係止リブと前記受支リブとの間に嵌合し、前記座部の前記表皮材の周縁を、前記係止リブの先端を経て、前記基板の裏面と支持フレームとの間に挟み込んで、支持フレームにより覆い隠すようにしたことを特徴とする椅子の座板。
【請求項２】
前記基板の前部の前記受支リブを板状断面とし、前記基板の左右側部および後部の前記受支リブを、Ｖ字状断面とした請求項１記載の椅子の座板。
【請求項３】
支持フレームを、左右に対向する脚体に、ほぼ水平状態とほぼ垂直状態との間で回動可能に取り付けた請求項１または２記載の椅子の座板。
【発明の詳細な説明】
【０００１】
【発明の属する技術分野】
本発明は、椅子の座板に関し、特に、ネスティング格納可能、すなわち前後方向に重ねて格納できるようにした椅子に好適に用いられる座板に関する。しかし本発明は、椅子の背当てにも適用することができる。
【０００２】
【従来の技術】
従来、座板を形成するのに、基板の上にクッション材を設け、このクッション材と基板とを、基板の裏面の中央部を残して表皮材で覆い、この表皮材の側縁に形成された筒状の挿通部に可撓性の締付紐条を通して、これを緊張させることにより、表皮材の周縁を窄めて一体化するやり方が行われている。
【０００３】
【発明が解決しようとする課題】
このような座板の形成法は合理的なものではあるが、表皮材の挿通部、すなわち周縁部が均一に窄まないので、座板を裏面から見た場合、やや見苦しい。特に、椅子がネスティング格納可能で、座板を起立させるものである場合、座板の裏面が正面から見えるので、体裁が悪い。
【０００４】
本発明は、上述の問題に鑑み、基板の裏面に回り込んだ表皮材を確実に保持し、かつ座板の裏面の見栄えをよくした椅子の座板を提供することを目的としている。
【０００５】
【課題を解決するための手段】
本発明によると、上記課題は、次のようにして解決される。
(１) 枠状の支持フレームに、座部の裏面側の周縁部を載置して支持した椅子の座板であって、前記座部が、前記支持フレームの外周に沿う係止リブが裏面から突設された基板と、該基板の表面側を覆うクッション材と、該クッション材と前記基板の周辺部とを覆う表皮材とを備え、前記基板の裏面に、前記支持フレームの内周に沿う受支リブを突設するとともに、前記受支リブの角部における上下方向の中間部から基部にかけて切り欠き部を設け、かつ前記表皮材の周縁に可撓性の締付紐条を挿通可能な挿通部を設け、前記締付紐条を挿通した前記挿通部を前記切り欠き部に係合させて、前記締付紐条を緊張させることにより、前記表皮材の周縁を前記受支リブの外周まで窄めるとともに、前記支持フレームを前記係止リブと前記受支リブとの間に嵌合し、前記座部の前記表皮材の周縁を、前記係止リブの先端を経て、前記基板の裏面と支持フレームとの間に挟み込んで、支持フレームにより覆い隠すようにする。
(２)  上記(１)項において、前記基板の前部の前記受支リブを板状断面とし、前記基部の左右側部および後部の前記受支リブを、Ｖ字状断面とする。
【０００６】
(３) 上記(１)または(２)項において、支持フレームを、左右に対向する脚体に、ほぼ水平状態とほぼ垂直状態との間で回動可能に取り付ける。
【０００７】
【発明の実施の形態】
図１は、本発明の座板(１)を備える椅子(Ａ)の側面図である。この椅子は、座板(１)を、実線で示すほぼ水平状態（使用位置）から、想像線で示すほぼ垂直状態まで回動させることができる。
【０００８】
図２は、座板(１)を、分解した状態で示す下方斜視図である。
座板(１)は、脚体(２)の上部の水平部分を構成するほぼ方形枠状の鋼管製の支持フレーム(３)と、座部(４)とからなっている。
【０００９】
座部(４)は、支持フレーム(３)に対応する形状のほぼ方形の基板(５)と、クッション材(６)と、表皮材(７)とからなっている。
【００１０】
基板(５)は、硬質合成樹脂材料の一体成型品であり、図３〜図５に示すように、中央部(６)がやや下方に窪み、かつ周縁部を除く後半部に多数の小孔が穿設されて、体重が負荷される着座者の尻部に対応する部分に、弾性が付与されている。
【００１１】
基板(５)の裏面には、支持フレーム(３)の内周に沿う位置において、受支リブ(8a)(8b)が突設されている。
図４〜図６に示すように、基板(５)の左右側部及び後部に形成されている受支リブ(8a)は、Ｖ字状をなし、基板(５)に、荷重に対する屈従性を付与している。基板(５)の前部に形成されている受支リブ(8b)は、単なる突出リブである。
【００１２】
基板(５)の裏面の周縁部には、支持フレーム(３)の外周に沿う位置において、係止リブ(９)が突設されている。係止リブ(９)は、後述する表皮材(７)の周縁部を、支持フレーム(３)との間に押さえ込んで、表皮材(７)を緊張させるとともに、表皮材(７)が外部に露呈しないようにするためのものである。
【００１３】
図６に拡大して示すように、基板(５)における受支リブ(8a)(8b)の各角部には、その中間部から基部にかけて、水平方向の切り欠き部(10)が穿設されている。
【００１４】
クッション材(６)は、例えば発泡ポリウレタンのような軟質弾性材料からなる適宜の厚さのシートである。
【００１５】
表皮材(７)は、例えば織布、ビニールレザーのような適宜な材料で作られ、図２、図６及び図７に示すように、その周縁には、折り返して縫った袋状の挿通部(7a)が形成されている。挿通部(7a)には、可撓性の締付紐条(11)を挿通し、その両端を、挿通部(7a)の途中から外へ引き出してある。
【００１６】
座部(４)の形成に当たっては、まず表皮材(７)を裏返しとして適宜の台上に置き、この上にクッション材(６)を載置し、さらにその上に、基板(５)を裏返しとして置く。
【００１７】
ついで、図７に示すように、表皮材(７)の全周縁部を、係止リブ(９)の先端を経て、基板(５)の裏面側に折り返して、締付紐条(11)の両端を強く引く。
【００１８】
すると、図３及び図６に示すように、締付紐条(11)は、受支リブ(8a)(8b)の外周に沿って窄まるが、角部においては、ここを近道して切り欠き部(10)に入り込む。締付紐条(11)を挿通した表皮材(７)の挿通部(7a)も、締付紐条(11)に引きずられて切り欠き部(10)に入り込む。
このようにして、表皮材(７)は、クッション材(６)をくるんで、たるみなく基板(５)の裏面に確実に係止され、座部(４)が形成される。
【００１９】
こうして得られた座部(４)は、図３〜図５に示すように、基板(５)の受支リブ(8a)(8b)と係止リブ(９)との間に支持フレーム(３)をはめ込んで、セルフタッピングねじまたはボルト(12)により固定する。この時、表皮材(７)の基板裏側に回り込んだ部分は、基板(５)の裏面と支持フレーム(３)との間、および係止リブ(９)の内側面と支持フレーム(３)との間に挟まれて、係止はさらに確実なものとなり、かつ皺を寄せられた表皮材(７)の周縁部は、支持フレーム(３)により隠される。
【００２０】
【発明の効果】
本発明は、次のような効果を奏する。
請求項１記載の発明によれば、表皮材の基板裏側に回り込んだ部分は、基板の裏面と支持フレームとの間に挟まれて確実に係止され、しかも、表皮材の周縁部が全周に亘って支持フレームにより均一に隠されるので、座板裏面の外観がすぐれたものとなる。
【００２１】
また、締付紐条を引いて緊張させるだけで、クッション材を弛みなくくるんで、表皮材の周縁を基板の裏側で係止することができ、かつ締付紐条は、一定位置より内方へ移動することはない。
【００２２】
さらに、締付紐条及び表皮材の周縁部が、角部において切り欠き部に入り込むので、表皮材の係止がさらに確実なものとなる。
【００２３】
請求項２記載の発明によれば、基板の左右側部および後部の受支リブを、Ｖ字状断面としているので、左右側部および後部の受支リブに荷重に対する屈従性を付与できる。
【００２４】
請求項３記載の発明によれば、ネスティング格納等のために、座板をほぼ垂直位置に起立させて座板の裏面が見える状態となっても、外観を損なうことがない。
【図面の簡単な説明】
【図１】  本発明の座板を備える座板回動式の椅子の側面図である。
【図２】  本発明の座板の分解下方斜視図である。
【図３】  組み立てた状態における本発明の座板の裏面図である。
【図４】  図３のIV−IV線に沿う断面図である。
【図５】  図３のＶ−Ｖ線に沿う拡大断面図で、一部分を省略して示す図である。
【図６】  座部の裏面の角部を示す部分拡大下方斜視図である。
【図７】  座部の裏面を示す下方斜視図である。
【符号の説明】
(Ａ)椅子
(１)座板
(２)脚体
(３)支持フレーム
(４)座部
(５)基板
(６)クッション材
(７)表皮材
(7a)挿通部
(8a)(8b)受支リブ
(９)係止リブ
(10)切り欠き部
(11)締付紐条
(12)セルフタッピングねじまたはボルト
【図１】
0004524014.tif 000002
【図２】
0004524014.tif 000003
【図３】
0004524014.tif 000004
【図４】
0004524014.tif 000005
【図５】
0004524014.tif 000006
【図６】
0004524014.tif 000007
【図７】
0004524014.tif 000008